(57)【要約】  【課題】床開口部の封鎖養生材を廃材として発生させず、またダクト施工時において、一時的でも人や物が落下するような開口を空けずに施工を可能としたダクト用床開口部の養生構造を提供する。  【解決手段】竪ダクト１の中間外面部に周方向に亘り開口封鎖用養生板２を一体的に付設するとともに、この開口封鎖用養生板２の上面側に、床版Ｆに形成された開口部間に跨るようにダクト設置用固定部材３，３を固設し、床版Ｆに形成された床開口部７に前記竪ダクト１を持ち込み、前記床開口部７に竪ダクト１を落とし込んだならば、前記ダクト設置用固定部材３，３を床版上面に横架し床版Ｆへボルト定着するとともに、前記竪ダクト１周囲に設けた開口封鎖用養生板２により床開口部７の隙間を封鎖する。【選択図】図３
2006193952.tif 000002
【特許請求の範囲】
【請求項１】
竪ダクトの中間部外面に周方向に亘り開口封鎖用養生板を一体的に付設するとともに、この開口封鎖用養生板部に対し床版に形成された開口部間に跨るようにダクト設置用固定部材を固設し、床版に形成された床開口部に前記竪ダクトを持ち込み、前記床開口部に竪ダクトを落とし込んだならば、前記ダクト設置用固定部材を床版上面に横架し床版へボルト定着するとともに、前記竪ダクト周囲に設けた開口封鎖用養生板により床開口部の隙間を封鎖したことを特徴とするダクト用床開口部の養生構造。
【請求項２】
前記ダクト設置用固定部材のボルト定着位置に予め、雌ネジアンカーを床版内に埋設しておく請求項１記載のダクト用床開口部の養生構造。
【請求項３】
前記竪ダクトの上部開口に封鎖板を取り付ける請求項１、２いずれかに記載のダクト用床開口部の養生構造。
【請求項４】
竪ダクトの中間外面部に周方向に亘り開口封鎖用養生板を一体的に付設するとともに、この開口封鎖用養生板に対し床版に形成された開口部間に跨るようにダクト設置用固定部材を固設し、
前記ダクト設置用固定部材のボルト定着位置に予め、雌ネジアンカーを床版内に埋設しておき、床版に形成された床開口部に前記竪ダクトを持ち込み、前記床開口部に竪ダクトを落とし込んだならば、前記ダクト設置用固定部材を床版上面に横架し定着ボルトを前記雌ネジアンカーに螺入し竪ダクトの定着を図るとともに、前記竪ダクトの周囲に設けた開口封鎖用養生板により床開口部の隙間を封鎖し、
その後、ダクト工事において、前記竪ダクトを所定量だけ持上げ、前記ダクト設置用固定部材と床版との間にスペーサを介在させ、開口封鎖用養生板と床版との間に所定の空間を形成した状態でボルト定着し、
前記空間を作業空間として前記竪ダクトと床開口部との隙間に無機質系繊維材又はモルタルを充填することを特徴とするダクトの施工方法。
【請求項５】
前記スペーサは、ボルトネジ部に外嵌される管状スペーサとする請求項４記載のダクトの施工方法。
【発明の詳細な説明】
【技術分野】
【０００１】
本発明は、床版に形成されたダクト用開口部から人や物が落下しないように塞ぐ封鎖養生構造およびダクトの施工方法に関する。
【背景技術】
【０００２】
ビル等の建設に当たっては、施工時に床版に対し、ダクト用開口部、スリーブ用開口部、マンホール用開口部、点検口など人や物が落下する危険性のある床開口部が数多く形成される。これらの床開口部は、多くの場合、図５に示されるように、コンパネ（合板ベニヤ板）や鉄板などの封鎖板５０の裏面（下面）にズレ止め用の桟木５１が設けられたものや、特注された床開口養生蓋（下記特許文献１等参照）が使用される。また、床版が現場施工の場合には、図６に示されるように、床開口部に実管スリーブ６０を取り付けておき、この実管スリーブ６０の上部に養生蓋６１が設けられる場合もある（下記特許文献２等参照）。
【特許文献１】実開平５−４７２２３号公報
【特許文献２】実開平５−２４８０４号公報
【発明の開示】
【発明が解決しようとする課題】
【０００３】
しかしながら、前記コンパネや鉄板を用いた封鎖板養生の場合には、建設完了後にこれらの部材がすべて廃材となり、これに伴う処理費用が嵩むことになるとともに、開口部に本設ダクトを貫通設置する際、一時的にでも封鎖板を取り除かなければならないため、一時的ではあるが開口部が開口して危険な状態となるため、誤って開口から物などを落下させてしまうおそれもある。
【０００４】
一方、前記実管スリーブ養生の場合は、床版が現場打設施工の場合でないと実管スリーブを取付けできないとともに、封鎖板養生の場合と同様に、養生蓋が建設完了後に廃材となり、これに伴う処理費用が嵩むことになる。
【０００５】
そこで本発明の主たる課題は、床開口部の封鎖養生材を廃材として発生させず、ダクト施工時において、一時的でも人や物が落下するような開口を空けずに施工を可能としたダクト用床開口部の養生構造およびダクトの施工方法を提供することにある。
【課題を解決するための手段】
【０００６】
前記課題を解決するために請求項１に係る本発明として、竪ダクトの中間部外面に周方向に亘り開口封鎖用養生板を一体的に付設するとともに、この開口封鎖用養生板部に対し床版に形成された開口部間に跨るようにダクト設置用固定部材を固設し、床版に形成された床開口部に前記竪ダクトを持ち込み、前記床開口部に竪ダクトを落とし込んだならば、前記ダクト設置用固定部材を床版上面に横架し床版へボルト定着するとともに、前記竪ダクト周囲に設けた開口封鎖用養生板により床開口部の隙間を封鎖したことを特徴とするダクト用床開口部の養生構造が提供される。
【０００７】
上記請求項１記載の本発明においては、本設ダクトをそのまま仮設時の封鎖養生材として使用するようにしたものである。すなわち、予め竪ダクトの周囲に開口封鎖用養生板を付設しておき、竪ダクトの仮設置状態で床開口部を前記開口封鎖用養生板によって塞ぐようにした。従って、床開口部の封鎖養生材を廃材として発生させることが無くなる。
【０００８】
また、前記竪ダクトは本設工事に当たっては、下記請求項４記載のダクト施工方法の手順により、一時的にでも床開口部を開口させることなく、施工が可能となるため、誤って床開口部から人や物を落下させる危険性が無くなる。
【０００９】
請求項２に係る本発明として、前記ダクト設置用固定部材のボルト定着位置に予め、雌ネジアンカーを埋設しておく請求項１記載のダクト用床開口部の養生構造が提供される。
【００１０】
上記請求項２記載の本発明は、予め床版内に定着ボルトのための雌ネジアンカーを埋設したものである。下記請求項４記載のダクト施工方法の手順によりダクトを施工する場合、定着ボルトは定着した後、１回の取り外し、再定着の手順となるため、定着ボルトは容易に取り外し可能としておくのが望ましい。
【００１１】
請求項３に係る本発明として、前記竪ダクトの上部開口に封鎖板を取り付ける請求項１記載のダクト用床開口部の養生構造が提供される。竪ダクトの上部開口から物や人が落下する危険性がある場合には、竪ダクトの上部開口も塞ぐようにするのが望ましい。
【００１２】
請求項４に係る本発明として、竪ダクトの中間外面部に周方向に亘り開口封鎖用養生板を一体的に付設するとともに、この開口封鎖用養生板の上面側に、床版に形成された開口部間に跨るようにダクト設置用固定部材を固設し、
前記ダクト設置用固定部材のボルト定着位置に予め、雌ネジアンカーを床版内に埋設しておき、床版に形成された床開口部に前記竪ダクトを持ち込み、前記床開口部に竪ダクトを落とし込んだならば、前記ダクト設置用固定部材を床版上面に横架し前記雌ネジアンカーにボルト定着するとともに、前記竪ダクト周囲に設けた開口封鎖用養生板により床開口部の隙間を封鎖し、
その後、ダクト工事時において、前記竪ダクトを所定量だけ持上げ、前記ダクト設置用固定部材と床版との間にスペーサを介在させ、開口封鎖用養生板と床版との間に所定の空間を形成した状態でボルト定着し、
前記空間を作業空間として前記竪ダクトと床開口部との隙間に無機質系繊維材又はモルタルを充填することを特徴とするダクトの施工方法が提供される。
【００１３】
請求項５に係る本発明として、前記スペーサは、ボルトネジ部に外嵌される管状スペーサとする請求項４記載のダクトの施工方法が提供される。
【発明の効果】
【００１４】
以上詳説のとおり本発明によれば、床開口部の養生材を廃材として発生させることがなく、かつダクト施工時において、一時的でも人や物が落下するような開口を空けずに施工が可能となる。
【発明を実施するための最良の形態】
【００１５】
以下、本発明の実施の形態について図面を参照しながら詳述する。
【００１６】
〔竪ダクトの構造〕
図１は本発明に係る竪ダクト１の斜視図であり、図２は開口封鎖用養生板２の分解図である。
【００１７】
断面形状が矩形からなる竪ダクト１の外面中間部には、周方向に亘り外方に突出するように開口封鎖用養生板２を一体的に付設してあるとともに、この開口封鎖用養生板２の上面側に、床版に形成された開口部間に跨るようにダクト設置用固定部材３，３が固設されている。また、前記開口封鎖用養生板２の取付け部位の上側には、周方向に亘りアングル材によるダクト補強材４が設けられている。
【００１８】
前記開口封鎖用養生板２は、詳細には図２に示されるように、平板部２ａと起立する左右対の締結部２ｂ、２ｂとからなる短辺側養生板２Ａ、２Ｂと、断面Ｌ字状を成し端面部に締結部２ｃ,２ｃを有する長辺側養生板２Ｃ、２Ｄとから構成され、これら４部材をフレーム枠状に組み立てるとともに、短辺側にそれぞれダクト設置用固定部材３，３を配設した状態で、ボルト５，５…により相互に連結される。また、前記ダクト設置用固定部材３，３からダクト側に向けて螺入したビス６，６…により竪ダクト１に固定されるようになっている。
【００１９】
なお、図１に示されるように、前記短辺側養生板２Ａ、２Ｂ及び長辺側養生板２Ｃ、２Ｄが組み付けられた状態でこれら養生板２Ａ〜２Ｄが成す平面形状が床版に形成された後述の床開口部７とほぼ一致するようになっている。また、前記竪ダクト１の上面開口にはダクト封鎖板１５が取り付けられ、開口が封鎖されている。
【００２０】
〔床開口部の封鎖養生〕
図３に示されるように、ビル等の建設現場において、床版Ｆに形成された竪ダクト用開口７（以下、床開口部）の封鎖養生を図るには、本設となる前記竪ダクト１を下端側から落とし込んだならば、ダクト設置用固定部材３，３を床開口部７の上面に横架させ、定着ボルト８によって定着させるようにする。この際、床版Ｆには雌ネジアンカー９を予め床版内に埋設しておき、前記定着ボルト８はこの雌ネジアンカー９に螺入させ、定着を図るのが望ましい。
【００２１】
〔ダクト設置工事〕
建設現場における工程がダクト工事に入ったならば、図４に示されるように、前記竪ダクト１を固定してある前記定着ボルト８を取り外し、竪ダクト１を所定量だけ持ち上げる。そして、前記ダクト設置用固定部材３と床版Ｆとの間にスペーサ１０を介在させ、開口封鎖用養生板２と床版Ｆとの間に所定の空間Ｐを形成した状態で、前記定着ボルト８に代えてネジ長の長い定着ボルト８’を雌ネジアンカー９に螺入して定着を図るようにする。前記スペーサ１０としては、同図に示されるように、前記ボルト８’のネジ部を外嵌する管状スペーサとするのが望ましい。
【００２２】
上記の要領により、竪ダクト１の本設工事を終えたならば、竪ダクト１周囲の床開口７を床版下面側から封鎖するために型枠１１（裏当材）を設置し、前記開口封鎖用養生板２と床版Ｆとの間に形成された空間Ｐからモルタルを流し込んだり、ロックウール、グラスウールなどの無機質系繊維材を充填することにより隙間を封鎖する。また、前記竪ダクト１に対して連続するダクト１３，１４を設置する。
【００２３】
〔他の形態例〕
(1)上記形態例では、断面が方形の角ダクトを例に取ったが、円形ダクトであっても同様に適用可能である。
(2)上記形態例では、前記竪ダクト１の上面開口にダクト封鎖板１５を取り付けるようにしたが、竪ダクト１の上面開口高さが人や物が落下しない高さである場合には、ダクト封鎖板１５は省略することが可能である。
【図面の簡単な説明】
【００２４】
【図１】本発明に係る竪ダクト１の斜視図である。
【図２】開口封鎖用養生板２の分解図である。
【図３】仮設時の竪ダクト１の設置状態を示す縦断面図である。
【図４】本設時の竪ダクト１の設置状態を示す縦断面図である。
【図５】従来の封鎖板５０による床開口部封鎖養生要領を示す縦断面図である。
【図６】従来の実管スリーブ６０による床開口部封鎖養生要領を示す縦断面図である。
【符号の説明】
【００２５】
１…竪ダクト、２…開口封鎖用養生板、２Ａ・２Ｂ…短辺側養生板、２Ｃ・２Ｄ…長辺側養生板、３…ダクト設置用固定部材、４…ダクト補強材、５…ボルト、６…ビス、７…床開口部、８・８’…定着ボルト、９…雌ネジアンカー、１０…スペーサ、１２…モルタル、１５…ダクト封鎖板、Ｆ…床版
【図１】
2006193952.tif 000003
【図２】
2006193952.tif 000004
【図３】
2006193952.tif 000005
【図４】
2006193952.tif 000006
【図５】
2006193952.tif 000007
【図６】
2006193952.tif 000008